(57)【要約】【課題】連続性保証のためのパケット伝達装置及び方法、位置管理装置及び方法を提供する。【解決手段】位置管理装置から移動ホストへのパケット伝達要請が受信されれば、移動ホストとの接続状態を把握する段階と、把握結果、移動ホストとの接続が切れた状態であれば、位置管理装置に、移動ホストとの接続が切れた状態であることを報告する段階と、パケット伝達要請に対応するパケットを保存する段階と、を含む連続性保証のためのパケット伝達方法によって、間欠的に接続が切られる移動インターネット環境で、新たな共通階層の追加なしでも、重要なパケットの損失を阻み、無損失パケット伝送を提供することができる。【選択図】図４
2011130418.tif 000002
【特許請求の範囲】
【請求項１】
位置管理装置から移動ホストへのパケット伝達要請が受信されれば、状態把握部によって、前記移動ホストとの接続状態を把握する段階と、
前記把握結果、前記移動ホストとの接続が切れた状態であれば、状態報告部によって、前記位置管理装置に、前記移動ホストとの接続が切れた状態であることを報告する段階と、
パケット管理部によって、前記パケット伝達要請に対応するパケットを保存する段階と、を含むことを特徴とする連続性保証のためのパケット伝達方法。
【請求項２】
他のパケット伝達装置から前記移動ホストへのパケットフォワーディング要請が受信されれば、パケット伝達部によって、当該パケットを前記他のパケット伝達装置に伝達する段階をさらに含むことを特徴とする請求項１に記載の連続性保証のためのパケット伝達方法。
【請求項３】
新たな移動ホストが接続すれば、ホスト管理部によって、前記新たな移動ホストの位置情報を前記位置管理装置に報告する段階と、
パケット要請部によって、前記位置管理装置から前記新たな移動ホストに伝達が必要なパケットが存在するという事実と、当該パケットが保存されているパケット伝達装置の情報とを獲得する段階と、
前記パケット要請部によって、前記当該パケットが保存されているパケット伝達装置に、前記新たな移動ホストに伝達が必要なパケットのフォワーディングを要請する段階と、
パケット伝達部によって、前記要請に対応して前記新たな移動ホストへの伝達が必要なパケットを受信して、前記新たな移動ホストに伝達する段階と、
をさらに含むことを特徴とする請求項１に記載の連続性保証のためのパケット伝達方法。
【請求項４】
パケット伝達装置からパケット伝達対象である移動ホストとの接続が切れた状態であることを知らせるメッセージが受信されれば、位置情報管理部によって、当該移動ホスト情報と前記接続が切れたパケット伝達装置情報とをマッチングして保存する段階と、
他のパケット伝達装置から前記移動ホストの接続事実が報告されれば、位置情報提供部によって、前記他のパケット伝達装置に、前記接続が切れたパケット伝達装置情報を提供する段階と、
を含むことを特徴とする連続性保証のための移動ホストの位置管理方法。
【請求項５】
パケット伝達装置から移動ホストの接続事実が報告されれば、前記位置情報管理部によって、前記移動ホストの位置情報をデータベース化して管理する段階と、
前記位置情報管理部によって、相手ホストから移動ホストについての位置情報要請が受信されれば、当該移動ホストの位置情報を提供する段階と、
をさらに含むことを特徴とする請求項４に記載の連続性保証のための移動ホストの位置管理方法。
【請求項６】
移動ホストにパケット伝達要請が受信されれば、前記移動ホストとの接続状態を把握する状態把握部と、
前記接続状態の把握結果、前記移動ホストとの接続が切れた状態であれば、前記位置管理装置に、前記移動ホストとの接続が切れた状態であることを報告する状態報告部と、
移動ホストに伝達されるためのパケットを保存するパケット保存部と、
前記パケット伝達要請に対応するパケットを前記パケット保存部に保存するパケット管理部と、
を含むことを特徴とする連続性保証のためのパケット伝達装置。
【請求項７】
前記パケット管理部は、他のパケット伝達装置から前記移動ホストへのパケットフォワーディング要請が受信されれば、前記パケット保存部から当該パケットを抽出し、
前記パケット伝達装置は、
前記パケットフォワーディング要請によって、前記パケット管理部から抽出されたパケットを前記他のパケット伝達装置に伝達するパケット伝達部をさらに含むことを特徴とする請求項６に記載の連続性保証のためのパケット伝達装置。
【請求項８】
新たな移動ホストが接続すれば、前記移動ホストの位置情報を前記位置管理装置に報告するホスト管理部と、
前記位置管理装置から前記移動ホストに伝達が必要なパケットの存在を知らせるメッセージと当該パケットが保存されているパケット伝達装置情報とが受信されれば、前記パケット伝達装置に当該パケットのフォワーディングを要請するパケット要請部と、
前記フォワーディング要請の応答として受信される当該パケットを前記移動ホストに伝達するパケット伝達部と、
をさらに含むことを特徴とする請求項６に記載の連続性保証のためのパケット伝達装置。
【請求項９】
前記パケット伝達装置は、アクセスノード、外部エージェント（ＦＡ：ＦｏｒｅｉｇｎＡｇｅｎｔ）及びルーターのうち一つであることを特徴とする請求項６に記載のパケット伝達装置。
【請求項１０】
移動ホスト位置情報及び移動ホストが属したパケット伝達装置情報を保存する位置情報保存部と、
前記位置情報保存部に保存された情報を全般的に管理するが、パケット伝達装置からパケット伝達対象である移動ホストとの接続が切れた状態であることを知らせるメッセージが受信されれば、前記位置情報保存部に、前記移動ホストについての接続状態情報を保存する位置情報管理部と、
他のパケット伝達装置から前記パケット伝達対象である移動ホストの接続が報告されれば、前記位置情報保存部から前記当該パケット伝達装置情報を抽出して、前記他のパケット伝達装置に提供する位置情報提供部と、
を含むことを特徴とする連続性保証のための移動ホストの位置管理装置。
【請求項１１】
前記位置情報管理部は、パケット伝達装置から移動ホストの接続事実が報告されれば、前記移動ホストの位置情報を前記位置情報保存部に保存し、相手ホストから移動ホストについての位置情報要請が受信されれば、当該移動ホストの位置情報を提供することを特徴とする請求項１０に記載の連続性保証のための移動ホストの位置管理装置。
【請求項１２】
前記位置管理装置は、ホームエージェント（ＨＡ：Ｈｏｍｅ  ａｇｅｎｔ）であることを特徴とする請求項１０に記載の位置管理装置。
【発明の詳細な説明】
【技術分野】
【０００１】
本発明は、パケット伝達方法に係り、特に、連続性保証のためのパケット伝達方法に関する。
【背景技術】
【０００２】
無線通信及び移動通信技術の発達につれて、今後提案される未来インターネット環境では、固定ホスト方式よりは無線移動ホスト方式が主に利用されると見込まれる。
【０００３】
無線環境で、端末が電源節約モードに遷移するか、ネットワーク接続上の問題によって、ホストとインターネットとの接続が比較的長期間切れる現象が発生することがある。
【０００４】
現在、インターネットは、安定した接続性を仮定して設計されたために、ホストとインターネットとの接続が持続されなければ、当該ホストに対するパケット伝送が根本的に不可能である。したがって、重要な情報を含めているデータが伝達されない場合に問題になりうる。
【０００５】
このような問題点を解決するために、持続的な終端間の接続性が保証されない状況で伝送データ損失を減らすために、保存及びフォワーディング（ｓｔｏｒｅ  ａｎｄ  ｆｏｒｗａｒｄ）方式でメッセージを伝達するＤＴＮ（Ｄｅｌａｙ  Ｔｏｌｅｒａｎｔ  Ｎｅｔｗｏｒｋ）のような技術が提案されている。しかし、ＤＴＮの場合、ホストとネットワークの各ノードが伝送階層と応用階層との間に新たな共通階層であるバンドル（Ｂｕｎｄｌｅ）階層を有していなければならないという制限がある。
【発明の概要】
【発明が解決しようとする課題】
【０００６】
本発明は、このような背景から導出されたものであって、新たな共通階層の追加なしにインターネット及び未来インターネット環境で間欠的に接続が切れても、パケットの損失を阻むことができるパケット伝達方法を提供することを目的とする。
【課題を解決するための手段】
【０００７】
前記技術的課題は、位置管理装置から移動ホストへのパケット伝達要請が受信されれば、前記移動ホストとの接続状態を把握する段階と、前記把握結果、前記移動ホストとの接続が切れた状態であれば、前記位置管理装置に、前記移動ホストとの接続が切れた状態であることを報告する段階と、前記パケット伝達要請に対応するパケットを保存する段階と、を含むことを特徴とする連続性保証のためのパケット伝達方法によって達成される。
【０００８】
一方、移動ホストへのパケット伝達要請が受信されれば、前記移動ホストとの接続状態を把握する状態把握部と、前記接続状態の把握結果、前記移動ホストとの接続が切れた状態であれば、前記位置管理装置に、前記移動ホストとの接続が切れた状態であることを報告する状態報告部と、移動ホストに伝達されるためのパケットを保存するパケット保存部と、前記パケット伝達要請に対応するパケットを前記パケット保存部に保存するパケット管理部と、を含むことを特徴とする連続性保証のためのパケット伝達装置によっても達成される。
【０００９】
また、前記技術的課題は、パケット伝達装置からパケット伝達対象である移動ホストとの接続が切れた状態であることを知らせるメッセージが受信されれば、当該移動ホスト情報と前記接続が切れたパケット伝達装置情報とをマッチングして保存する段階と、他のパケット伝達装置から前記移動ホストの接続事実が報告されれば、前記他のパケット伝達装置に、前記接続が切れたパケット伝達装置情報を提供する段階と、を含むことを特徴とする連続性保証のための移動ホストの位置管理方法によっても達成される。
【００１０】
一方、移動ホスト位置情報及び移動ホストが属したパケット伝達装置情報を保存する位置情報保存部と、前記位置情報保存部に保存された情報を全般的に管理するが、パケット伝達装置からパケット伝達対象である移動ホストとの接続が切れた状態であることを知らせるメッセージが受信されれば、前記位置情報保存部に、前記移動ホストについての接続状態情報を保存する位置情報管理部と、他のパケット伝達装置から前記パケット伝達対象である移動ホストの接続が報告されれば、前記位置情報保存部から前記当該パケット伝達装置情報を抽出して、前記他のパケット伝達装置に提供する位置情報提供部と、を含むことを特徴とする連続性保証のための移動ホストの位置管理装置によっても達成される。
【図面の簡単な説明】
【００１１】
【図１】一実施形態によるインターネットシステムの構成を示した例示図である。
【図２】一実施形態によるパケット伝達装置の構成図である。
【図３】一実施形態による位置管理装置の構成図である。
【図４】一実施形態による連続性保証のためのパケット伝達方法のフローチャートである。
【図５】一実施形態による連続性保証のための移動ホストの位置管理方法のフローチャートである。
【図６】一実施形態による連続性保証のためのパケット伝達システムの構成図である。
【図７】一実施形態によるモバイルインターネットシステムで連続性保証のためのパケット伝達方法のフローチャートである。
【図８】他の実施形態による連続性保証のためのパケット伝達システムの構成を示した例示図である。
【図９】他の実施形態によって未来インターネットで連続性保証のためのパケット伝達方法のフローチャートである。
【発明を実施するための形態】
【００１２】
前述した、そして、追加的な本発明の態様は、添付した図面を参照して説明される望ましい実施形態を通じてさらに明確になる。以下、本発明を、このような実施形態を通じて当業者が容易に理解して再現できるように詳しく説明する。
【００１３】
図１は、一実施形態によるインターネットシステムの構成を示した例示図である。
【００１４】
図１を参照すると、インターネットシステムは、インターネットを通じて接続される位置管理装置３０とパケット伝達装置４０−１、４０−２、４０−３、４０−４とを含む。
【００１５】
まず、移動ホスト１０は、パケット伝達装置１（４０−１）からパケット伝達装置２（４０−２）、パケット伝達装置３（４０−３）を経てパケット伝達装置４（４０−４）に移動する。
【００１６】
この際、移動ホスト１０が、パケット伝達装置２（４０−２）とパケット伝達装置３（４０−３）とのサービス領域を通る時に、移動ホスト１０とパケット伝達装置との接続性を維持することができないと仮定する。例えば、通信環境が不安定であるか、移動ホスト１０が電源節約のための睡眠（ｓｌｅｅｐ）モードに進入するなどの原因によって接続性が維持されないことがある。この場合、もし移動ホスト１０がパケット伝達装置２（４０−２）とパケット伝達装置３（４０−３）とのサービス領域にある時、パケットが伝達されれば、パケットが移動ホスト１０に伝達されない。すなわち、重要な情報を含めたパケットが移動ホスト１０に伝達されずに損失されてしまう恐れがある。
【００１７】
一実施形態において、間欠的非接続性を支援するために、位置管理装置３０は、追加シグナリング及びデータベースに対するアップデートを行わなければならない。但し、モバイルＩＰ（Ｍｏｂｉｌｅ  ＩＰ）の場合、位置情報が軟性状態（ｓｏｆｔｓｔａｔｅ）で管理される。したがって、本発明が適用されるためには、データベースに対する有効時間（ｌｉｆｅ  ｔｉｍｅ）が既存のインターネットに比べて長く与えられるか、明確な（ｅｘｐｌｉｃｉｔ）メッセージ基盤になされなければならない。また、各パケット伝達装置に、追加シグナリング及びバッファリング機能が追加されなければならない。
【００１８】
図２は、一実施形態によるパケット伝達装置の構成図である。
【００１９】
図２を参照すると、一実施形態において、パケット伝達装置は、アクセスノード、外部エージェント（ＦＡ：Ｆｏｒｅｉｇｎ  Ａｇｅｎｔ）及びルーターのうち一つとして具現可能である。図１に示されたように、一実施形態によるパケット伝達装置は、パケット保存部２００、状態把握部２１０、状態報告部２２０、パケット管理部２３０、パケット伝達部２４０、ホスト管理部２５０、パケット要請部２６０及び通信部２７０を含む。
【００２０】
パケット保存部２００は、通常のメモリ素子として具現される。例えば、バッファ（ｂｕｆｆｅｒ）として具現することが可能である。一実施形態において、パケット保存部２００は、接続が切れた移動ホストに伝達されるパケットを保存する。パケット保存部２００は、移動ホストが他のパケット伝達装置に安定的に接続されるまで臨時保存するものである。
【００２１】
通信部２７０は、端末通信部２７２とネットワーク通信部２７４とを含む。一実施形態において、端末通信部２７２は、サービス領域に属する端末との通信を行い、ネットワーク通信部２７４は、位置管理装置あるいは他のパケット伝達装置のようなネットワーク装置との通信を行う。
【００２２】
状態把握部２１０は、外部のホームエージェントあるいは相手ホストから移動ホストへのパケット伝達要請が受信されれば、移動ホストとの接続状態を把握する。状態報告部２２０は、状態把握部２１０での接続状態の把握結果、パケット伝達対象である移動ホストとの接続が切れた状態であれば、位置管理サーバに、移動ホストとの接続が切れた状態であることを報告する。
【００２３】
パケット管理部２３０は、接続が切れた状態である対象移動ホストに伝達要請されたパケットをパケット保存部２００に保存する。また、パケット管理部２３０は、他のパケット伝達装置から移動ホストへのパケットフォワーディング要請が受信されれば、パケット保存部２００に保存された情報のうち当該移動ホストに伝達要請されたパケットを抽出する。
【００２４】
パケット伝達部２４０は、受信されるパケットフォワーディング要請に対応してパケット管理部２３０から抽出したパケットを他のパケット伝達装置に伝達する。また、パケット伝達部２４０は、他のパケット伝達装置から現在接続状態である移動ホストへの伝達パケットを受信して、移動ホストに伝達する。
【００２５】
ホスト管理部２５０は、新たな移動ホストが移動してパケット伝達装置のサービス領域に進入した場合に、当該移動ホストの位置情報を位置管理装置に報告する。
【００２６】
パケット要請部２６０は、位置管理装置から移動ホストに伝達が必要なパケットの存在を知らせるメッセージと、当該移動ホストに伝達要請されたパケットが保存されているパケット伝達装置情報を受信する。そして、パケットが保存されているパケット伝達装置に当該パケットのフォワーディングを要請する。
【００２７】
図３は、一実施形態による位置管理装置の構成図である。
【００２８】
図３を参照すると、位置管理装置は、ホームエージェント（ＨＡ：Ｈｏｍｅ  ａｇｅｎｔ）として具現可能である。一実施形態において、位置管理装置は、位置情報保存部３００、位置情報管理部３１０、位置情報提供部３２０及び通信部３３０を含む。
【００２９】
位置情報保存部３００は、移動ホスト位置情報及び移動ホストが属したパケット伝達装置の情報を保存する。
【００３０】
通信部３３０は、ネットワークを通じて他のパケット伝達装置と通信を行う。
【００３１】
位置情報管理部３１０は、位置情報保存部３００に保存された情報を全般的に管理する。一実施形態において、位置情報管理部３１０は、パケット伝達装置からパケット伝達対象である移動ホストとの接続が切れた状態であることを知らせるメッセージが受信されれば、位置情報保存部３００に、その移動ホストについての接続状態情報を保存する。
【００３２】
位置情報提供部３２０は、他のパケット伝達装置からパケット伝達対象である移動ホストの接続が報告されれば、位置情報保存部３００から当該パケット伝達装置情報を抽出して、他のパケット伝達装置に提供する。
【００３３】
位置情報管理部３１０は、パケット伝達装置から移動ホストの接続事実が報告されれば、前記移動ホストの位置情報を前記位置情報保存部にデータベース化して保存する。また、位置情報管理部３１０は、相手ホストから移動ホストについての位置情報要請が受信されれば、当該移動ホストの位置情報を提供する。
【００３４】
図４は、一実施形態による連続性保証のためのパケット伝達方法のフローチャートである。一実施形態によるパケット伝達方法は、外部エージェントあるいはアクセスルーターのようなパケット伝達装置で行われる。
【００３５】
図２及び図４を参照すると、まず、相手ホストからパケット伝達が要請されれば（４００）、状態把握部２１０が、パケット伝達対象となる移動ホストとの接続関係を把握する（４１０）。接続関係の把握結果（４２０）、移動ホストと接続状態であれば、パケット伝達部２４０は、当該移動ホストにパケットを伝達する（４３０）。一方、接続状態が維持されない場合には、状態報告部２２０が、位置管理装置に、当該移動ホストとの接続が切れた状態であることを報告する（４４０）。そして、パケット管理部２３０が、パケット伝達要請されたパケットを内部パケット保存部２００に保存する（４４２）。そして、他のパケット伝達装置からパケットフォワーディング要請が受信されれば（４４４）、パケット伝達部２３０が、内部パケット保存部に保存されたパケットをパケットフォワーディングを要請した他のパケット伝達装置に伝達する（４４８）。
【００３６】
一方、新たな移動ホストの接続要請が受信されれば（４５０）、ホスト管理部２５０が、位置管理装置に新たな移動ホストの接続を報告する（４５２）。位置管理装置から新たに登録された移動ホストに未伝達されたパケットが存在するという事実と、未伝達されたパケットが保存されているパケット伝達装置の情報とが受信されれば（４５４）、パケット要請部２６０が、未伝達されたパケットが保存されているパケット伝達装置にパケットフォワーディングを要請する。そして、パケット伝達部２４０が、パケット伝達装置から未伝達されたパケットを受信して、新たに登録された移動ホストに伝達する（４５６）。
【００３７】
図５は、一実施形態による連続性保証のための移動ホストの位置管理方法のフローチャートである。一実施形態による移動ホストの位置管理方法は、ホームエージェント、位置管理サーバで行われる。
【００３８】
図３及び図５を参照すると、相手ホストから移動ホストの位置情報要請が受信されれば（５００）、位置情報管理部３１０は、移動ホストの位置情報を提供する（５１０）。その以前に、パケット伝達装置は、新たな移動ホストの接続が感知されれば、位置情報管理部３１０は、位置管理装置に移動ホストの登録事実を通報し、位置管理装置は、移動ホストが接続したパケット管理装置の情報を保存して管理する。
【００３９】
パケット伝達装置からパケット伝達対象となる移動ホストと接続が不可能であるというメッセージが受信されれば（５２０）、位置情報管理部３１０は、パケット伝達対象となる移動ホストの情報と、その移動ホストと接続が不可能であるというメッセージを伝送したパケット伝達装置情報とをともに保存する（５３０）。
【００４０】
次いで、パケット伝達装置から移動ホストの接続を報告するメッセージが受信されれば（５４０）、位置情報提供部３２０が、新たに接続した移動ホストに未伝達されたパケットが存在するか否かを把握する（５５０）。そして、新たに登録された移動ホストに未伝達されたパケットが存在すれば、位置情報提供部３２０が、そのパケットが保存されているパケット伝達装置情報を移動ホストが新たに接続したパケット伝達装置に伝送する（５６０）。
【００４１】
図６は、一実施形態による連続性保証のためのパケット伝達システムの構成図である。
【００４２】
図６を参照すると、一実施形態によるパケット伝達システムは、モバイルＩＰｖ４基盤でモバイルインターネットシステムとして具現可能である。この際、位置管理装置は、ホームエージェントＨＡ３２として具現され、各パケット伝達装置は、外部エージェントＦＡ（４２−１、４２−２、４２−３、４２−４）として具現される。各構成での動作は、図１を参照して前述した内容と同一なので、重複説明は省略する。
【００４３】
図７は、一実施形態によるモバイルインターネットシステムで連続性保証のためのパケット伝達方法のフローチャートである。
【００４４】
図７を参照すると、相手ホスト２０は、移動ホスト１０が属したホーム網のホームエージェントＨＡ３２にパケットを伝達する。この際、相手ホスト２０が、移動ホスト１０のホーム網にパケットを伝達すれば、ホームエージェント３２は、移動ホスト１０に伝達されるパケットを横取りする（７００）。そして、横取りしたパケットを移動ホスト１０の位置が登録された外部エージェント１  ＦＡ１（４２−１）に伝達する（７１０）。
【００４５】
外部エージェント１（４２−１）は、移動ホスト１０が自身の領域内に位置しないということを確認し、移動ホスト１０に伝達されるパケットをバッファリング（ｂｕｆｆｅｒｉｎｇ）する（７２０）。そして、外部エージェント１（４２−１）は、移動ホスト１０が自身の領域内に位置しないということを知らせるメッセージをホームエージェント３２に伝送する（７３０）。
【００４６】
ホームエージェント３２は、外部エージェント１（４２−１）から受信されるメッセージに基づいて移動ホスト１０に対する位置データベースにホームエージェント３２が外部エージェント１（４２−１）と接続が切れたということを表わす情報を記録する（７４０）。
【００４７】
この際、移動ホスト１０は、外部エージェント２と外部エージェント３とを経て外部エージェント４（４２−４）でインターネットに対する接続性を再び回復し、外部エージェント４（４２−４）を通じて自身の位置をホームエージェント３２に登録する（７５０）。
【００４８】
そうすると、外部エージェント４（４２−４）は、移動ホスト１０の登録メッセージをホームエージェントに伝達する（７６０）。次いで、ホームエージェント３２は、移動ホスト１０の登録を受けた後、外部エージェント４（４２−４）に移動ホスト１０に伝達されたパケットがあるという事実と、そのパケットが、外部エージェント１（４２−１）にあるという事実とを知らせる（７７０）。
【００４９】
外部エージェント４（４２−４）は、ホームエージェント３２から受信したメッセージに基づいて外部エージェント１（４２−１）に当該パケットのフォワーディングを要請する（７８０）。外部エージェント１（４２−１）は、外部エージェント４（４２−４）を経て移動ホスト１０にバッファリングされたパケットを伝達する（７９０）。
【００５０】
図８は、他の実施形態による連続性保証のためのパケット伝達システムの構成を示した例示図である。
【００５１】
図８を参照すると、一実施形態によるパケット伝達システムは、未来インターネットシステムとしても具現可能である。この際、位置管理装置は、位置管理サーバ３５として、パケット伝達装置は、アクセスルーター（Ａｃｃｅｓｓ  ｒｏｕｔｅｒ）４５−１、４５−２、４５−３、４５−４としてそれぞれ具現される。
【００５２】
位置管理サーバ３５は、移動ホスト１０に対するパケット伝達のためにインターネット上に移動ホスト１０の位置情報を管理する。
【００５３】
相手ホスト２０は、移動ホスト１０にパケットを伝達するために、位置管理サーバ３５に移動ホスト１０の位置を質疑する。そして、移動ホスト１０の位置が把握されれば、該把握される位置情報に基づいて移動ホスト１０にパケットを伝送する。
【００５４】
例えば、移動ホスト１０が、アクセスルーター１（４５−１）に接続されていながら、アクセスルーター２（４５−２）とアクセスルーター３（４５−３）とを経てアクセスルーター４（４５−４）に移動する場合に、アクセスルーター２（４５−２）とアクセスルーター３（４５−３）とは接続が維持されないと仮定する。例えば、通信環境が不安定であるか、移動ホスト１０が電源節約のための睡眠モードに進入するなどの原因によって接続性が維持されないことがある。
【００５５】
移動ホスト１０が、アクセスルーター２（４５−２）やアクセスルーター３（４５−３）の領域に位置する時、相手ホスト２０からパケットが伝送されれば、移動ホスト１０は、そのパケットを受信することができない。このような問題点を解決するために、位置管理サーバ３５とアクセスルーター４５−１、４５−２、４５−３、４５−４は、バッファリング及び追加シグナリングを行うことによって、ネットワーク接続が不安定な場合でも、移動ホスト１０が、この後にインターネット接続時に当該パケットを損失なしに受信できるように保証する。具体的に、アクセスルーターに移動ホスト１０が接続されない場合、すなわち、移動ホスト１０が、アクセスルーター２（４５−２）やアクセスルーター３（４５−３）の領域に位置する間に、移動ホスト１０に伝送要請されたパケットは、以前に移動ホスト１０が接続状態であったアクセスルーター１（４５−１）にバッファリングされる。
【００５６】
そして、次いで、移動ホスト１０が、アクセスルーター４（４５−４）に安定的に接続すれば、アクセスルーター１（４５−１）にバッファリングされたパケットは、損失なしに移動ホスト１０に伝達されうる。
【００５７】
図９は、他の実施形態によって未来インターネットで連続性保証のためのパケット伝達方法のフローチャートである。
【００５８】
図９を参照すると、相手ホスト２０は、移動ホスト１０にパケットを伝達するために、位置管理サーバ３５に移動ホスト１０の位置を質疑する（９００）。位置管理サーバ３５は、最終的に登録された移動ホスト１０の位置、例えば、アクセスルーター１（４５−１）についての情報を相手ホスト２０に提供する（９１０）。そうすると、相手ホスト２０は、アクセスルーター１（４５−１）にパケットを伝送する（９１０）。アクセスルーター１（４５−１）は、移動ホスト１０が自身と接続されていない状態であることを認識し、当該パケットをバッファリングする（９３０）。そして、位置管理サーバ３５に移動ホスト１０が自身と接続されていない状態であることを知らせるメッセージを伝送する（９４０）。
【００５９】
位置管理サーバ３５は、移動ホスト１０に対する位置データベースに移動ホスト１０がアクセスルーター１と接続されていない状態であることを記録する（９５０）。
【００６０】
一方、移動ホスト１０は、アクセスルーターに接続されることなしに、アクセスルーター２領域と、アクセスルーター３領域とを移動してアクセスルーター４（４５−４）に安定的に接続を回復することができる。アクセスルーター４（４５−４）は、新たな移動ホスト１０が接続すれば、当該移動ホスト１０についての位置情報を位置管理サーバ３５に提供する（９６０、９７０）。
【００６１】
位置管理サーバ３５は、アクセスルーター４（４５−４）に移動ホスト１０に対して伝達されたパケットがあるという事実と、そのパケットが、アクセスルーター１（４５−１）にバッファリングされたという事実とを通報する（９８０）。
【００６２】
アクセスルーター４（４５−４）は、位置管理サーバ３５からの通報によって、アクセスルーター１（４５−１）に当該パケットのフォワーディングを要請する（９９０）。
【００６３】
アクセスルーター１（４５−１）は、アクセスルーター４（４５−４）からのフォワーディング要請によって、当該移動ホスト１０に伝達されるために、バッファリングされたパケットを把握し、当該パケットをアクセスルーター４（４５−４）に伝達する（９９５）。
【００６４】
一方、前述したパケット伝達方法及び位置管理方法は、コンピュータプログラムとして作成可能である。また、前記プログラムは、コンピュータで読み取り可能な情報記録媒体（ｃｏｍｐｕｔｅｒ  ｒｅａｄａｂｌｅ  ｍｅｄｉａ）に保存され、コンピュータによって読み取られて実行されることで具現可能である。前記記録媒体は、磁気記録媒体、光記録媒体などを含む。
【００６５】
以上、本発明について望ましい実施形態を中心に説明した。当業者ならば、本発明が、本発明の本質的な特性から外れない範囲で変形された形態として具現可能であるということを理解できるであろう。したがって、開示された実施形態は限定的な観点ではなく、説明的な観点で考慮されなければならない。本発明の範囲は、特許請求の範囲に示されており、それと同等な範囲内にあるあらゆる差異は、本発明に含まれたものと解析されなければならない。
【産業上の利用可能性】
【００６６】
本発明は、連続性保証のためのパケット伝達装置及び方法、位置管理装置及び方法関連の技術分野に適用可能である。
【符号の説明】
【００６７】
２００：パケット保存部              ２１０：状態把握部
２２０：状態報告部                  ２３０：パケット管理部
２４０：パケット伝達部              ２５０：ホスト管理部
２６０：パケット要請部              ２７０：通信部
【図１】
2011130418.tif 000003
【図２】
2011130418.tif 000004
【図３】
2011130418.tif 000005
【図４】
2011130418.tif 000006
【図５】
2011130418.tif 000007
【図６】
2011130418.tif 000008
【図７】
2011130418.tif 000009
【図８】
2011130418.tif 000010
【図９】
2011130418.tif 000011